(57)【要約】      （修正有）【課題】野菜を茹でる際、鍋の大きさや野菜の量に関わらず、野菜の根部を茹でたのち葉部を茹でることにより、野菜の部位による茹で時間の調整が可能で、野菜の水気をしぼりそろえることができる調理器具を提供する。【解決手段】下の根部と上の葉部を分けて鍋に入れられるよう、耐熱性と可塑性を有するシート体に野菜を差し込むための切込み部または切欠き部３を設け、茹であがった野菜をシート体ごと湯を切りながら引き上げ、そのまま冷水に当て水気をしぼれるよう、シート体に複数の水切り穴と、周囲に取っ手４を設けた。【選択図】図１
2014233613.tif 000002
【特許請求の範囲】
【請求項１】
耐熱性と可塑性を有するシート体と、このシート体に形成された複数の水切り穴と、前記シート体に形成した切込み部または切欠き部と、前記シート体の周囲に設けられた２以上の取っ手と、を有することを特徴とする野菜調理器具。
【請求項２】
前記シート体はシリコンゴム製であることを特徴とする請求項１に記載した野菜調理器具。
【発明の詳細な説明】
【技術分野】
【０００１】  この発明は、葉物野菜を茹で水気をしぼりそろえる調理器具の形状に関する。
【背景技術】
【０００２】  従来の葉物野菜を茹でる調理器具の形状は、図２に示すように、筒状の本体を分割し、ヒンジによって開閉可能にし、この開閉によって野菜を束ねて、根部を茹でた後、開いて野菜全体を湯につけられるようにしたものである。
【先行技術文献】
【特許文献】
【０００３】
【特許文献１】特開２０１０−１１０３７６号公報
【発明の概要】
【発明が解決しようとする課題】
【０００４】  しかしながら、以上の技術によれば、筒状の本体の容積が定まっているため、鍋の大きさに本体が入らず使用できない場合や、逆に野菜が少量の時にその量に見合った鍋を用いることができず、茹でるのに必要な量以上のお湯を要する場合があるという問題が生じ、また食用にするには単に水を切るだけでなく野菜をしぼりそろえるまでの一連の作業を可能ならしめることが望ましい。そこでこの発明は、野菜を茹でるにあたって、鍋の大きさや野菜の量に関わらず、根部を先に茹でたのち葉部を茹でることにより、野菜の部位による茹で時間の調整を可能ならしめ、野菜の水気をしぼりそろえることができる調理器具を提供することを課題とする。
【課題を解決するための手段】
【０００５】  以上の課題を解決するために、第一発明は、鍋の大きさに関わらず使用可能で、野菜が少量の時にはその量に見合った鍋を用いることにより必要量以上のお湯を要することなく茹でることができ、下の根部と上の葉部に分けた状態で鍋に入れ、下の根部を先に茹でたのち、上の葉部をお湯につけて茹でることにより、野菜の部位による茹で時間の調整ができるよう、耐熱性と可塑性を有するシート体に野菜を差し込むための切込み部または切欠き部を設けたことを特徴とする野菜調理器具である。
また、第二発明は、茹であがった野菜をシート体ごと湯を切りながら引き上げ、そのまま冷水に当て水気をしぼりそろえられるよう、シート体に複数の水切り穴と、周囲に２以上の取っ手を設けたことを特徴とする野菜調理器具である。
【発明の効果】
【０００６】  第一発明、または第二発明によれば、耐熱性と可塑性を有するシート体に設けた切込み部または切欠き部に野菜を差し込むことにより、下の根部と上の葉部に分けた状態で鍋に入れ、下の根部を先に茹でたのち、上の葉部をお湯につけて茹でることにより、野菜の部位による茹で時間の調整が可能である。シート体の有する耐熱性と可塑性により、鍋の大きさに関わらず使用でき、また野菜が少量の時にはそれに見合った鍋を用いることにより、茹でるのに必要な量以上のお湯を要することなく野菜を茹でることが可能である。またシート体には水切り穴と取っ手が設けられているので、茹であがった野菜を取っ手を用いてシート体ごと湯を切りながら引き上げ、そのまま冷水に当て水気をしぼりそろえることができる。
【図面の簡単な説明】
【０００７】
【図１】この発明の一実施形態を示す平面図である。
【図２】従来技術を示す斜視図である。
【図３】この発明の一実施形態を示す斜視図である。
【図４】この発明の一実施形態を示す斜視図である。
【図５】この発明の一実施形態を示す斜視図である。
【図６】この発明の一実施形態を示す斜視図である。
【図７】この発明の一実施形態を示す斜視図である。
【発明を実施するための形態】
【０００８】  この発明の一実施形態を、図１に示す。
野菜調理器具の本体１は、耐熱性と可塑性を有する紙製のシート体であり、このシート体には複数の水切り穴２と、切込み部または切欠き部３が形成されている。切込み部３は丸や四角などの切欠き部３でも同様に機能する。このシート体の周囲には２以上の取っ手４が設けられている。
この発明の一実施形態を、図３に示す。
図３は、本体１に形成された切込み部または切欠き部３に野菜を差し込むことにより、下の根部と上の葉部に分けた状態を示しており、このまま鍋に入れて根部を先に茹でることができる。切込み部３のみならず丸や四角などの切欠き部３によっても野菜を下の根部と上の葉部に分けることが可能である。
この発明の一実施形態を、図４に示す。
図４は、下の根部を先に茹でたのち、上の葉部を本体１ごと押し曲げて鍋に入れて茹でている状態を示している。
この発明の一実施形態を、図５に示す。
図５は、茹であがった野菜を取っ手４を用いて本体１ごと湯を切りながら引き上げている状態を示している。本体１に形成された複数の水切り穴２により、湯を切ることができる。
この発明の一実施形態を、図６に示す。
図６は、野菜を取っ手４を用いてそのまま冷水に当てている状態を示している。
この発明の一実施形態を、図７に示す。
図７は、本体１を押し曲げて野菜の水気をしぼっている状態を示している。水切り穴２により野菜の水気をしぼることができ、本体１を開いて切込み部または切欠き部３から引き抜くことにより、しぼりそろえられた野菜が取り出せる。
【００９】「実施形態の効果」
この実施形態によれば、耐熱性と可塑性を有するシート体に設けた切込み部または切欠き部３に野菜を差し込むことにより、下の根部と上の葉部に分けた状態で鍋に入れ下の根部を先に茹でたのち、上の葉部を本体１ごと押し曲げて鍋に入れお湯につけることにより、野菜の部位による茹で時間の調整が可能である。シート体の有する耐熱性と可塑性により、鍋の大きさに関わらず使用でき、また野菜が少量の時にはそれに見合った鍋を用いることにより、茹でるのに必要な量以上のお湯を要することなく野菜を茹でることが可能である。切込み部３は丸や四角などの切欠き部３でも同様に機能し、切込み部または切欠き部３を複数設け、その大きさを変えることにより、差し込む野菜の量に変化を持たせることが可能である。また茹であがった野菜を取っ手４を用いて本体１ごと湯を切りながら引き上げ、そのまま冷水に当てたのち、本体１を押し曲げて野菜の水気をしぼることができ、その後本体１を開いて切込み部または切欠き部３から引き抜くことにより、しぼりそろえられた野菜を取り出すことが可能である。
「他の実施形態」
図１の実施形態では、本体１は紙製であったが、他の実施形態では、シリコンゴム製でもよい。
【符号の説明】
【００１０】１  本体                          ２  水切り穴
３  切込み部または切欠き部        ４  取っ手
【図１】
2014233613.tif 000003
【図２】
2014233613.tif 000004
【図３】
2014233613.tif 000005
【図４】
2014233613.tif 000006
【図５】
2014233613.tif 000007
【図６】
2014233613.tif 000008
【図７】
2014233613.tif 000009